(57)【要約】たとえば心循環障害または糖尿病をかかえた人の医療データ、特に心循環状態および血液特性を捕捉および／または監視するための構成が提案される。この構成は、人（１）の循環状態を捕捉するための少なくとも１つの測定センサ（３，３′，２３）、特に耳センサと、測定センサで捕捉したデータにおける不整を判断するための論理制御部と、少なくとも１つの第三者（９）へダイヤルしてこの第三者にデータを転送するための音声用および／またはデータ用送信および受信手段（５）と、人の現在地を第三者に伝達するための場所確認システムモジュールとを備える。
2005501576.tif 000002
【特許請求の範囲】
【請求項１】
医療データ、特に心循環状態や血液特性などを捕捉および／または監視するための構成であって、
−少なくとも２つの周波数で光を放出できる少なくとも１つの光源と、該人の組織部分を通過した光を検出するための少なくとも１つの受光器とを含む、人（１）の心循環状態などの医療データを捕捉するための少なくとも１つの測定センサ（３，３′，２３）と、
−場合により、測定センサにより捕捉されたデータにおける不整を場合により判断するための論理制御部と、
−場合により少なくとも１つの第三者（９，１３，１９）へダイヤルし、該第三者にデータを転送するための、音声用および／またはデータ用送信および受信手段（５，２５，３５，４５）とを特徴とする、構成。
【請求項２】
該人の現在地を該第三者に伝達するための場所確認システムモジュールがさらに設けられることを特徴とする、特に請求項１に記載の構成。
【請求項３】
心拍数、呼吸数、酸素飽和度、血圧、毎分心拍出量、ＥＫＧデータ、血糖量および／または体温など、可能な限り多くの有意味な医療データを捕捉するための、１つまたは複数の測定センサが設けられることを特徴とする、特に請求項１または請求項２に記載の構成。
【請求項４】
送信および受信ユニット（５）として携帯電話機などの電気通信機器が用いられ、前記電気通信機器が、追加的なモジュールまたは一体化された構成部分として自動的にトリガ可能なダイヤル機構を含み、これが前記論理制御部の信号に応答してトリガ可能であることを特徴とする、特に請求項１に記載の構成。
【請求項５】
送信および受信ユニット（５）に通信用および制御用電子機器が配置または一体化され、前記通信用および制御用電子機器がダイヤル機構と接続され、こうして１つまたは複数の予めプログラムされた電話番号および／またはインターネットアドレスへダイヤルされ、かつ送信ユニットから、測定データの他にＧＰＳ（全地球測位システム）座標などの位置座標が該第三者に伝達されることを特徴とする、特に請求項１から請求項４のいずれかに記載の構成。
【請求項６】
前記測定センサ（３，３′，２３）あるいは論理制御部から転送ユニット（５）へのデータの伝達のために、たとえばいわゆる“Bluetooth”技術の構成要素などの無線周波数範囲でのデータ通信、または他の転送周波数および／またはプロトコルの構成要素が用いられることを特徴とする、特に請求項１から請求項５のいずれかに記載の構成。
【請求項７】
測定センサで測定された捕捉されたデータと、監視されるべき人の現在地とを表示すなわち視覚化できる手段（１１，１２，１５）が該第三者に設けられることを特徴とする、請求項１から請求項６のいずれかに記載の構成。
【請求項８】
前記送信および受信手段、ならびに該第三者に配置される手段において、同時的なデータおよび音声通信が両方向で可能であり、こうして該人と受信側との間の音声通信をデータ伝達中でも可能にすることを特徴とする、請求項１から請求項７のいずれかに記載の構成。
【請求項９】
監視されるべき人に関わるデータが保存される記憶モジュールが前記送信および受信手段に設けられ、前記データが、たとえば以下のリストから選択的に、
−少なくとも部分的に、場合により該人のレントゲン写真および／またはレントゲンフ
ィルムおよび／または医薬品リストを伴う病歴と、
−該人の名前および住所と、
−掛り付けの医師または掛り付けの医療専門家についての記載と、
−連絡先の親族と、
−入っている保険についての記載とを含むことを特徴とする、請求項１から請求項８のいずれかに記載の構成。
【請求項１０】
前記記憶モジュールがいわゆるＳＩＭ（Subscriber Identity Module）カードであり、前記カードが前記送信および受信手段内に配置されて前記送信および受信手段を該人に関連付けることを特徴とする、請求項９に記載の構成。
【請求項１１】
前記測定センサが
−耳に設置可能な装置（２３）であり、前記装置が少なくとも耳たぶおよび／または耳介の各々１つの場所に設置可能な各々１つの部分を有し、
−一方の部分が光放出用の機構（２９）を含み、
−他方の部分が、耳たぶまたは耳介を通過した光を検出するための光センサあるいは受光器（２７）を含み、さらに
−センサ（２７）により検出された値あるいはそこから導き出された分析データを送信および受信手段（２５）へワイヤレスに転送するための送信機（３６）が設けられることを特徴とする、特に請求項１から請求項１０のいずれかに記載の構成。
【請求項１２】
前記装置が、センサ（２７）により検出された値を解析あるいは分析するための、電子機器（３６）あるいは信号処理および信号解析手段を含むことを特徴とする、請求項１１に記載の構成。
【請求項１３】
前記装置が、電力供給のための、場合により太陽電池を有する電池（３５）を含むことを特徴とする、請求項１１または請求項１２に記載の構成。
【請求項１４】
検出した値を解析あるいは分析するための電子機器が設けられ、測定センサ（２７）により捕捉されたデータにおける不整を判断するための論理制御部をさらに含むことを特徴とする、請求項１１から請求項１３のいずれかに記載の構成。
【請求項１５】
前記測定センサが補聴器と一体化して配置されることを特徴とする、請求項１から請求項１４のいずれかに記載の構成。
【請求項１６】
前記測定センサが、耳飾りあるいは耳ペンダント、またはいわゆる携帯電話自由会話器具（ワイヤレスハンドフリー器具）と一体化して配置されることを特徴とする、請求項１から請求項１４のいずれかに記載の構成。
【請求項１７】
特に請求項１から請求項１６のいずれかに記載の構成を用いて、医療データ、特に人の心循環状態および／または血糖レベルを捕捉および／または監視するための方法であって、
−該人に取付けられた少なくとも１つの測定センサ（３）を用いて、医学的状態、特に心循環状態を監視するステップと、
−場合により、論理制御部を用いて、捕捉したデータにおける不整を判断するステップと、
−少なくとも不整の場合に、音声用および／またはデータ用の送信および受信手段（５）を用いて、場合により第三者へダイヤルしてデータを転送するステップと、
−ＧＰＳ（全地球測位システム）などの場所確認またはナビゲーションシステムを用いて、該第三者に該人の位置を伝達するステップとを特徴とする、方法。
【請求項１８】
測定センサから送信および受信手段への転送が、たとえばいわゆる“Bluetooth”周波数範囲での無線周波数を用いて、または別の周波数もしくは別のプロトコルにより行なわれることを特徴とする、特に請求項１７に記載の方法。
【請求項１９】
送信および受信手段（５）として、ＧＳＭ（Global System for Mobile communication）機器、ＧＰＲＳ（General Packet Radio Service）機器、ＵＭＴＳ（Universal Mobile
Telecommunication System）機器などが用いられ、前記機器が、論理制御部による信号に基づき自動的に少なくとも１つの第三者へダイヤルしてデータを伝達することを特徴とする、特に請求項１７または請求項１８に記載の方法。
【請求項２０】
前記送信および受信手段（５）と該第三者との間で同時的なデータおよび音声通信が両方向で可能であり、こうして該第三者が該人と連絡を取ることができ、すなわち場合により該人の測定センサにあるデータを読取る、あるいは測定センサまたは患者のもとにある他の器具に影響を与えることができることを特徴とする、特に請求項１７から請求項１９のいずれかに記載の方法。
【請求項２１】
該第三者が、前記送信および受信手段（５）にある記憶モジュールから、場合によりパスワードを用いて、監視されるべき人の病歴および場合によりさらなる情報、たとえば入っている保険に関する記載、掛り付けの医師、連絡先の親族などを、少なくとも部分的に呼出すことができることを特徴とする、特に請求項１７から請求項２０のいずれかに記載の方法。
【請求項２２】
健康状態あるいは医療データの捕捉が、脈拍酸素測定法を用いて、すなわち侵襲性でなく視覚的なやり方で、酸素飽和度を好ましくは耳たぶまたは耳介で測定することで行なわれ、光が光放出用の機構（２９）から少なくとも２つの異なる波長で耳たぶまたは耳介を通るように放出され、前記光が光検出器（２７）によって、照射された耳たぶの組織を通ってきた光を測定することで捕捉され、光検出器（２７）により測定された値が、センサと、場合によりやはり耳の領域に配置される分析用電子機器（３６）とに転送され、送信機（１６）からワイヤレスに無線周波数範囲で前記送信および受信手段へと転送されることを特徴とする、請求項１７から請求項２１のいずれかに記載の方法。
【請求項２３】
心循環障害を有する人を監視するための、請求項１から請求項１６のいずれかに記載の構成の使用。
【請求項２４】
スポーツ医学的データを、場合によりスポーツを行なっている人自身によって捕捉するための、請求項１から請求項１６のいずれかに記載の構成の使用。
【請求項２５】
心循環疾病についてのリスク型を有する人の健康を監視するための、請求項１から請求項１６のいずれかに記載の構成の使用。
【請求項２６】
糖尿病患者の血糖量を、場合により糖尿病患者自身によって監視するための、請求項１から請求項１６のいずれかに記載の構成の使用。
【請求項２７】
乳幼児すなわち赤ちゃんを監視するための、請求項１から請求項１６のいずれかに記載の構成の使用。
【請求項２８】
歯科医において、特に医学的障害を有する人の歯科手術の際に患者を医学的に監視するための、請求項１から請求項１６のいずれかに記載の構成の使用。
【発明の詳細な説明】
【技術分野】
【０００１】
この発明は、請求項１の序文に従い、医療データ、特に人の心循環状態および血液特性を捕捉および／または監視するための構成と、人特に心循環障害がある人の心循環状態を捕捉および監視するための方法と、上記構成および方法の使用とに関する。
【背景技術】
【０００２】
健康状態を連続的に監視することによって、異常な健康状態の早期発見および第三者への早期警報が可能となる。
【０００３】
特に心循環障害がある人の場合、急性の心循環問題が生じた際にすぐ必要な措置を講じ得ることが極めて重要であり、さもなければ、比較的短時間でこの人に回復不可能な障害が生じたり、または死に至る可能性すらある。
【０００４】
さらにまた他の医学的障害、たとえば糖尿病患者における血糖量などもまた、場合によっては長期にわたり監視される必要がある。血中の低血糖も過血糖も命にかかわるおそれがあるため、これらの値を常に監視することが必要であろう。
【０００５】
集中治療病棟における患者の監視、たとえば心筋梗塞の後、重度の心臓病の際または心臓手術の後などにおいては、問題が生じるとすぐに必要な手当てがなされ得ることを常に保証している。
【０００６】
患者を集中治療病棟から病院の一般病棟に移しただけで持続的な監視は困難となる、あるいは限定的にしか可能ではなくなる。確かに、問題が生じた際に患者自身が警報を発したり、不整が生じた場合に患者に接続された監視機器が対応する信号を生成することはできる。最近になり、問題が生じるとたとえば病棟看護婦などの監視者へ自動的に警報信号が送られる、病院内患者監視システムが公知である。しかしながらこのような監視が申し分なく機能するのは、患者が監視区域にいる限りにおいてのみである。患者の正確な位置を知ることは不可能であるが、それはこれら公知のシステムが実際に携帯可能ではないからである。
【０００７】
重要なパラメータを監視するための上述の方法であって確立されたものの例としては、脈拍酸素測定法を用いた健康状態の捕捉がある。たとえば国際公開第０１／４１６３４号に記載された脈拍酸素測定法では、光源と光検出器との間における血液の色を判定することで、動脈中酸素飽和度を即座にインビボ（生体内）測定することが可能である。ここでは通常２つの異なる波長、たとえば６６０ｎｍおよび９４０ｎｍの光が用いられる。この方法は光を照射した組織内の光吸収に基づくものであり、ここで光透過率はヘモグロビンの濃度と反比例する。各々の心周期の間に光吸収は周期的に変化する。これは心拡張の間は静脈血、組織、骨格および色素によって起こり、心収縮の間は動脈血、毛細管血、静脈血、骨格および色素によって起こる。
【０００８】
脈拍酸素測定法による測定に適当な人体の部分は、たとえば指、親指および耳たぶなど、すなわち光吸収が視覚的に捕捉可能な部分である。
【０００９】
生命にかかわる健康状態の変化を脈拍酸素測定法で確認することが可能である。プレチスモグラフ曲線より、心拍数、呼吸数および酸素飽和度が直接検出可能である。
【００１０】
特に心循環状態が脈拍酸素測定法で監視可能であり、これは健康な人に対して、また心循環障害を抱える人に対しても行なうことができる。
【００１１】
脈拍酸素測定法用の測定装置は、上述のように、特に病院内で患者の監視のためにさまざまな領域で使用される。すなわち米国特許第４，６８５，４６４号、国際公開第００／７８２０９号、国際公開第０１／１３７９０号および国際公開第０１／４１６３４号には、好ましくは指に設置されるチップ様の器具が記載されており、これにより光源および対応するセンサを用いて脈拍酸素測定法による測定が可能となる。
【００１２】
指に設置するセンサに代えて、米国特許第３，８１５，５８３号では患者の耳に設置される光センサが提案されている。このセンサを用いて患者の心拍数を測定することができ、さらに、心拍における不整の出現あるいは結滞の際に対応する警報が発せられる。同様に米国特許第５，９１０，１０９号では、血中の血糖量を判定するためのブドウ糖測定器具が提案されている。ここでもやはり、指または耳など身体の一部分に配置され得る光源を用いて測定が行なわれ、これにより今日なお一般的な、注射針を用いて行なう血糖測定手順を不用にすることができる。しかし米国特許第５，９１０，１０９号で提案された構成は、入院の際の使用を意図したものである。
【発明の開示】
【発明が解決しようとする課題】
【００１３】
これらすべての装置に共通していることは、センサと分析ユニットとの間に電力供給およびデータのやり取りを目的としたケーブル結合が存在し、さらに分析ユニットは比較的大きく、携帯用よりもむしろ入院用として構想されているということである。したがって、自由に動く人を、場所に依存せず連続的に監視する能力は極めて限定的である。
【００１４】
しかしながら、退院した患者や、入院していないが心循環障害を抱えた人々や、リスク集団に属する人々、たとえば心循環疾病について陽性の既往歴がある人々、またはその他のリスク型を有する人々や、さらには最適な健康監視を望む健康な人々、たとえば健康状態および／または身体能力を監視すべき高レベルの運動選手においては、動きと場所に依存せずかつ連続的な監視が可能であることが重要である。
【００１５】
具体的には、退院した人々またはリスク集団においては、監視に関する問題がより尖鋭となる。人は問題が生じた際、たとえば電話警報が発せられ得る人間装着式の押しボタンを作動させることにより警報を発することができるという可能性しか実際には存在しない。しかしながら、多くの場合人はこれを行なう状態にはもはやなく、さらに警報を受取った第三者も、この人がどこにいるかを正確にわからない。これはこの人が自分で意思伝達できない場合に特に当てはまる。
【００１６】
したがってこの発明の課題は、或る人の健康状態を、可能な限り連続的に、動きに依存せずかつ／または場所に依存せずに監視することが可能となる構成を提案することである。
【００１７】
この発明のさらなる課題は、特に心循環に関する問題、または血糖量に関する問題を抱えた人を常時監視かつ場所確認できる構成を提供することである。
【課題を解決するための手段】
【００１８】
特に請求項１に記載の文言に従う構成が提案される。
【００１９】
少なくとも以下の構成要素を備えた監視構成が提案される。
【００２０】
−医学的に有意味なデータ、特に心循環機能を記述しかつ／または血液特性あるいは血液組成についての情報を含むデータを捕捉するための、人に取付けられた少なくとも１つの測定センサ。このセンサは、少なくとも２つの周波数で光を送り出すことができる少なくとも１つの光源と、或る組織部分を通ってきた光を捕捉する、すなわち吸収あるいは反射された光を検出するための少なくとも１つの受光器とを含む。
【００２１】
−場合により、測定値が定められた標準範囲の内側にあるのか、または外側にあるのかを判断するためのセンサ用論理制御部。
【００２２】
場合によりおよび任意に、場合により第三者へダイヤルしてこれにデータを転送するための音声用および／またはデータ用送信および受信手段。
【００２３】
−正確な場所確認を可能にする、たとえばＧＰＳ（全地球測位システム）モジュールなどの測位システム。これにより現在地が第三者に伝達される。
【００２４】
人の健康状態を監視する測定センサは、可能な限り多くの有意味な医療データ、たとえば心拍数、呼吸数、酸素飽和度、毎分心拍出量、ＥＫＧデータ、血圧、血糖、および場合によりさらなる要因、たとえば体温などを捕捉することが有利である。センサは人体に接し、これに取付け、またはこの中に配置されるため、確実に動きの自由度を最大限にし、かつ通常の生活に対する妨げを最小限にする。すべてのセンサはただ１つのセンサユニット内に配置されることが有利であり、このセンサユニットは、たとえば腕輪や指クリップとして耳または皮下に着用され得る。当然のことながら、このセンサユニットをその他どの身体部分に配置してもよい。
【００２５】
センサは論理回路によって制御され、この論理回路は、測定値が、人あるいは患者の医師の定めた標準範囲の内側にあるのか、または外側にあるのかを調べる。測定値が標準範囲の外側にあると判断されると、センサユニットは、ワイヤ接続または好ましくはワイヤレス接続、たとえばいわゆる無線送受信機を用いて、人が着用している音声用および／またはデータ用のデータ、送信および受信手段に命令を与えることにより、少なくとも１つの受信側、たとえば予めプログラムされた電話番号またはインターネットアドレスへの接続を自動的に確立させる。
【００２６】
この送信および受信手段は移動電気通信機器、たとえばいわゆる汎欧州デジタル移動電話方式（Global System for Mobile communication：ＧＳＭ）電話機、ＵＭＴＳ（Universal Mobile Telecommunication System）機器などであることができ、これら機器はワイヤレス通信手段として、あるいは固定電話の代わりに一般的に使用されている。基本的に、電気通信網またはインターネット経由でワイヤレスにデータ情報および／または音声情報を転送する移動電気通信機器であれば、どのようなものを用いてもよい。場合によりこの携帯電話機には或る追加的なユニットを設ける必要があり、この追加的なユニットは、センサユニットとのワイヤレス通信手段と、受信機へ自動的にダイヤルするための制御用電子機器とを含む。センサユニットと、上記のＧＳＭ電話機などの転送手段との間におけるワイヤレス通信には無線周波数範囲でのデータ通信が考えられ、これにはたとえばローカルな音声通信およびデータ通信に最近用いられているいわゆる“Bluetooth”技術があり、この技術は複数の機器間において極めて簡単な仕方で、極めて小さなモジュールを使用してワイヤレス情報交換を可能にする。最近この“Bluetooth”技術は上述のＧＳＭ電話機器にも用いられており、これにより上記の追加的なユニットの配置は不要となる。
【００２７】
“Bluetooth”技術は２．４ＧＨｚの帯域で動作し、比較的贅沢な通信プロトコルを利用する。その結果消費電流が比較的大きくなる。この発明に従い規定される応用において電流の節約は極めて重要であるため、より低い周波数を利用し、かつより単純で特別に適合させたプロトコルを用いることが有利であろう。
【００２８】
上述のように、受信側たとえば医療専門家または病院内に勤務中の医師にとって、監視されるべき人に重大な健康上の問題が生じているという事実の他に、この人がどこにいるのかがわかるように、この発明に従い、いわゆるＧＰＳ技術などの場所確認システムを使用することが提案される。最近、追加的にいわゆるＧＰＳ（全地球測位システム）ナビゲーションが可能な携帯電話機が市場で提供されている。これにより、心循環を特徴付けるデータに加え、人の位置座標もまた受信側に伝達され、こうしてこの人がどこにいるのかが受信側にはすぐにわかる。受信側は、自分ですぐに患者を訪問しても、またはたとえば緊急診療所もしくはこの人の近くにいる緊急医師を動員してもよい。
【００２９】
患者から受信側へのデータ転送に携帯電話機を使用するさらなる利点は、音声およびデータが同時に両方向に転送され得ることにある。具体的には、ＵＭＴＳ、ＧＰＲＳ（General Packet Radio Service）など新たに開発された技術により、携帯電話機から外部の場所と同時に音声通信およびデータ通信を行なうことが可能である。受信側たとえば家庭医または医療専門家は、患者に意識があり話すことが可能な場合にはこれと通信しようと試みることができる。換言すると携帯電話機の使用により、受信側は医療データの伝達中に、監視される人と直接連絡を取ることができる。予め定められた警報限界値を上回るかまたは下回るかした際、対応する接続開始によってデータ通信が直接および自動的に行なわれる。
【００３０】
両方向の通信すなわちデータのやり取りの際、受信側はさらにセンサユニットにあるデータを問合せることもでき、これによりたとえば心拍数を或る時間の間追跡できる。これらデータはたとえばスクリーン上に表示でき、こうして患者の状態を最適に表現できる。
【００３１】
こうして好ましい変形実施例に従い、監視されるべき人の個人的な病歴を受信側あるいは医療専門家が見ることができるようにするデータを、いわゆるＳＩＭ（Subscriber Identity Module）など携帯電話機内に通常存在する個々のドライバチップ内に記憶させることが提案される。このようなＳＩＭカードにおいて、たとえばレントゲン写真および／またはレントゲンフィルムおよび／または医薬品リストを伴う病歴が保存され、非常時にはこれらデータを受信側に伝達でき、こうして医学的処置においてすばやく正しい対応を可能にする。これにより疾病および死亡の可能性が明らかに低下する。
【００３２】
これらいわゆるＳＩＭカードは通常３２キロバイトの記憶場所を備えている。このうち、携帯電話関連のファイルは約１０〜１５キロバイトの記憶場所を必要とするにすぎない。残りの記憶場所は他の応用に利用可能である。ところで技術開発においては、将来これらＳＩＭカードにおいてもっと多くの記憶場所を利用可能にして、顧客個人のためのアプリケーションおよび追加的な応用を可能にすることが目指されている。６４キロバイトの記憶場所を有する最初のカードが最近市場に現われ、１２８キロバイトカードは遅くとも２００２年には現われるものと予想されている。この趨勢はさらに続くであろう。さらに、顧客個人のためのデータを携帯電話機あるいは移動電気通信機器において利用可能とするために、今日用いられているＳＩＭカードと類似する他の規格化された方法が将来開発されることも想定され得る。
【００３３】
これを背景として、携帯電話機に関連付けられた人についてのレントゲン写真および／またはレントゲンフィルムおよび／または医薬品リストを伴う病歴、または場合により記憶場所の理由からこれらを要約したものを保存することが可能である。移動電気通信機器のＳＩＭカードに関連付けられた人は、自分の病歴に対するアクセス権を状況に応じて第三者に与えることができる。データは可能な限りパスワードによって保護される。しかしながら、この人が自分でデータを第三者に送ることもまた可能である。第三者は、自分の受信機器にあるこのデータを必要に応じて呼出すことができる。データはまた、測定センサのセンサユニットが警報を発生するとすぐに第三者、たとえばシステムと接続されている救助センターへ自動的に送信されることもある。
【００３４】
病歴へのアクセスによって、第三者は測定センサ着用者の医学的非常事態の際、現在ある医学的な疾患および医薬品投与についてすばやく展望することができ、こうしてこの後で正式な医療措置に取りかかれるようにする。
【００３５】
このようなＳＩＭカードまたは類似のデータ記憶装置には、たとえば以下の情報が保存され得る。
【００３６】
−人あるいは患者の名前および住所、
−掛り付けの医師、
−連絡先の親族、
−個人的な病歴およびその一部、および
−該人の入っている保険に関する記載。
【００３７】
本質的なことは、保存されたデータあるいは病歴が常に患者のもとに留まっており、非常事態の際にのみ、たとえば救助センターに対して利用可能にされることである。
【００３８】
さらに患者の正確な現在地がわかっているため、受信側に利用可能なデータを用いて、最適な、患者の状態に応じた手当ての活動を引起すことができる。
【００３９】
よく知られているように、世界中で心循環障害を抱える人は増え続けている。これらの人々は、自分の心循環障害が短期間で予兆なしに命にかかわるものになるかもしれないと懸念している。このような患者に対し、この発明に従い提案される構成により、健康状態が生命または健康を脅かすものに変化した際、第三者たとえば医療専門家に自動的に知らせる可能性が提供される。この発明に従い提案されるシステムは、安全感を高めることで患者の人生の日々をより充実したものにする。このシステムは、健康上の変化の発生と医療的処置との間の対応時間を減少させるために、
−救助サービスが患者のもとに到着するのを大幅に迅速化し、
−電気通信により伝達されたデータに基づき健康状態を評価できるようにする。
【００４０】
このシステムはさらに、出動時における器材および人員の最適な投入を保証するが、それは最初の診断がわかっており、かつ位置判定が既に行なわれているからである。
【００４１】
このシステムすなわちこの発明に従い提案される構成は、生存者における機能障害を減少させることに寄与し、かつ状況によっては生命を救うよう働くことができる。
【００４２】
この発明に従い提案される構成はたとえば、心循環障害を抱えた人々または糖尿病患者の監視に適しており、これによりたとえば、センサユニットにより検出された値が予め定められた範囲から離れる、すなわち警報限界値を下回るまたは上回ると、救助センターに警報を発生する。さらにこの構成は、日常生活での安全性の向上を望ましいと考える健康な人々にも用いられ得る。
【００４３】
さらなる応用例は、医学的解明との関連における心循環監視あるいは血糖レベル監視である。たとえば健康状態について定期的に行なわれる医学的検査、たとえば健康診断などにおいて、医師は上述の心循環監視を指示することができ、これにより人は或る時間の間、たとえばいわゆるＥＫＧ機器を着用することになる。これに代えて、および好ましくは、この発明に従い提案される、着用時の高い快適さを有す耳センサがこの人に配置され、これにより有意の状態要因が測定可能であり、さらに簡単な記録も可能となる。好ましいものとして提案される耳測定センサについては後に詳細に説明する。または医師は血糖量の定期的な検査を指示することもできるが、これはこの発明に従い提案される装置を用いれば、定期的なテストを注射針で行なうことになる従来の方法を用いるよりも大幅に簡単になる。
【００４４】
さらなる応用例は、乳幼児の突然死を防ぐための乳幼児監視であり、ここでは測定センサによって警報が両親／保護者のもとで発生される。
【００４５】
この発明に従い提案される構成のさらなる応用例は運動選手の監視であり、ここでは成績を示す測定値を連続的に伝達でき、これに対応して分析する。当然のことながら運動選手の監視は、先に記載した意味において、すなわち心循環システムの監視のためにもまた可能である。
【００４６】
この監視はさらに自己チェックあるいは自己監視の意味でも行なうことができ、ここで運動選手またはたとえば糖尿病患者は測定値を定期的に「自分自身で」で検査でき、または、値が過度に偏ればこの人自身に信号が発せられる。
【００４７】
この発明に従い提案される構成のさらなる応用例は、歯科手術中における歯科患者の監視であり、これにより患者の状態をチェックする。
【００４８】
当然のことながら上に列挙したものは例にすぎず、限定的なものではない。
【００４９】
さらなる好ましい実施例に従うと、この測定センサは、
−少なくとも耳たぶおよび／または耳介の２つの場所に設置可能な各々１つの部分を有する、耳に設置可能な装置と、
−光放出用の機構を含む部分と、
−耳たぶおよび／または耳介を通過した光を検出するための光センサを含む別の部分と、
センサにより検出された値、あるいはそこから導き出された分析データを、送信および受信手段たとえば移動電気通信機器などにワイヤレスで転送するための送信機とに関する。
【００５０】
先行技術で記述される測定器具は通常、好ましくは人たとえば患者の指に設置されるものである。指設置式の測定器具の欠点は、手が下にぶら下がっているか、またはたとえば頭の上に保持されているかによって、値たとえば血圧などが異なることにある。これは妨げとなる要因であり、状況によって誤った測定値をもたらす、あるいは検出した測定値の分析を困難にするおそれがある。この理由から、測定器具を耳たぶまたは耳介に配置することが有利であるが、それは異なる頭の姿勢および動きによる妨げの要因は大幅により小さいからである。この理由からこの発明に従い、測定用電子機器を耳たぶまたは耳介に配置することが提案され、ここで本質的なことは、監視されるべき人の動きおよび場所の依存性を可能にするために、測定データがケーブル接続なしに受信側へ伝達され得ることである。好ましくは、医療データの測定は脈拍酸素測定法によって行なわれるが、またはいわゆるライブチェック法を用いても行なわれ、これにより特に血糖量を捕捉する。
【００５１】
当然のことながらこのような送信手段は、耳すなわち耳たぶまたは耳介の領域に設置する結果として、可能な限り小さく形成すべきである。この理由から、この発明に従い、センサで測定されるデータまたは分析手段により導き出されたデータの転送は、無線周波技術によって行なわれることが提案される。
【００５２】
好ましくは、この発明に従い提案される構成は耳への固定手段を含み、これはたとえば蔓、挟子、クリップ、耳を通じて延びる部分、または接着結合である。本質的なことは、連続的に一定な測定を可能にし、かつ妨害となる要因を可能な限り最小化するために、測定センサを耳たぶまたは耳介に対して安定して配置することである。さらにこの構成は、冒頭に述べた耳たぶにある測定センサと、場合により、信号処理および信号解析のための電子機器とを含む。最後にこの構成は、電力供給のための、場合によっては太陽電池を有する電池と、無線周波数範囲での送信機とを含み、場合によってはさらにデータ転送を目的とした外部機器との通信用の受信機を含む。この外部機器は直接的に、人の健康状態の監視を役割とする受信機であり得るが、または、たとえば警報センターなど外部の受信センターへの接続を確立する音声用および／またはデータ用の上述の送信および受信手段であってもよい。
【００５３】
他の連続的な測定、たとえばｐＣＯ2分圧（血中のＣＯ2飽和度、動脈血中のＣＯ2圧）、血圧、さらには血糖量、血液希釈、ヘマトクリットおよびヘモグロビンを検出あるいは算出するように、耳たぶの測定センサユニットを補完することが考えられる。
【００５４】
センサ信号の分析およびその結果として得られる曲線の分析、ならびにこの結果のさらなる送信は、信号処理および信号解析手段と、たとえば耳用の蔓によって耳介の後ろに設置される送信機器とを用いて行なわれる。
【００５５】
データのワイヤレス転送のためには、既に述べたように、無線周波数範囲でのデータ通信を用いることが好ましく、これは極めて簡単な仕方で、極めて小さなモジュールを使用して複数の機器間でワイヤレスな情報のやり取りを可能にする。音声通信およびデータ通信はたとえばいわゆる“Bluetooth”技術によって行なっても、または任意の他の無線周波数および転送プロトコルで行なってもよい。
【００５６】
耳たぶで測定することで、妨害の少ない極めて良好な測定結果が期待できるが、それはこの測定が身体の動きに対してあまり敏感でないからであり、さらに含んでいる標準誤差（心臓／耳たぶ間の距離）が小さいものにすぎないからである。
【発明を実施するための最良の形態】
【００５７】
以下にこの発明を、例により添付の図面を参照してより詳細に説明する。
【００５８】
図１はこの発明の機能態様の概略図である。
【００５９】
人１は心循環障害を抱えた人である。この人は、医療的な処置を受けている患者であっても、または、たとえば心筋梗塞のため入院していた病院もしくは心臓手術を受けた病院からつい先日退院したばかりの人であってもよい。本質的なことは、この人１にとって重大な危険となる心臓の問題が短期間のうちに生じるおそれがこの人１にあることである。この理由から、人１が常に医師のチェックの下にいる、すなわち人１の健康状態が常に監視され得ることが重要である。
【００６０】
これはセンサユニット３あるいは３′を用いて行なわれ、このセンサユニットは１つまたは複数のセンサを含むことができ、これによりたとえば心拍数、呼吸数、酸素飽和度、血圧、毎分心拍出量、体温、および場合によりさらなる健康上有意味な要因、たとえば血糖量などが監視され得る。センサユニットはたとえば、図１において参照番号３で表わす腕輪または指クリップとして配置されることも、または図１において参照番号３′で表わすように耳に配置されることもある。センサユニット３内にはさらに論理制御部が配置され、この論理制御部は、測定値が患者の医師の定めた標準範囲の内側にあるのか、またはその外側にあるのかを常にチェックする。測定値が標準範囲の外側にあると判断されると、センサユニットはワイヤ接続またはワイヤレス接続、たとえば好ましくはいわゆる無線送受信機を用いて、やはり患者のもとにある携帯電話機５に命令信号を与える。この信号に基づき、たとえばいわゆるＧＳＭ（Global System for Mobile communication）電話機である携帯電話機において選択パルスがトリガされ、このパルスを用いて１つまたは複数の受信側へダイヤルされる。受信側はたとえば救助センター９であることができ、ここではたとえば医療専門家が働いている。この医療専門家が接続を確立すると、携帯電話機５から病院９内の接続部への接続、たとえば電話局またはインターネット接続を介して、測定ユニットで測定されたデータがこの医療専門家へ伝達され、こうして医療専門家はこのデータと、やはり携帯電話機５により可能にされる患者の身元確認とに基づき、健康状態の評価および行なうべき措置を提供することができる。
【００６１】
ここで医療専門家には、患者１がどこにいるかを知るために患者の位置座標がわかっていることが重要であろう。これはたとえば、既に広く普及しているいわゆるＧＰＳシステム（全地球測位システム）を用いて判断でき、ここで携帯電話機５からは、データ転送に加えて位置座標もまた衛星６経由で上述のＧＰＳシステムを用いて転送される。当然のことながら他の場所確認構成、たとえばＧＳＭ網を用いたナビゲーション、たとえばスイスの電気通信会社スイスコム（Swisscom）が提供するＬＢＳ（Location Based Service）もまた考えられ得る。
【００６２】
救助センターにおいては、患者に必要な手当てを提供するために病院のチームを動員すべきか、または外部の医院を動員すべきかが判断され得る。
【００６３】
図２の概略図を参照して、この発明あるいはその機能原理をより詳細に説明する。
【００６４】
上述のように、センサユニット３あるいは３′により測定されたデータは、予め定められた測定範囲から逸れると、たとえばワイヤレスで携帯電話ユニット５へと転送される。センサユニット３あるいは３′と携帯電話機５との間の通信にはワイヤ接続が存在できるが、たとえば赤外線を用いたワイヤレス接続もまた存在でき、ここではセンサユニットおよび携帯電話機にデータ転送用赤外線インターフェイスが設けられ、さらに、たとえばいわゆる“Bluetooth”技術を用いた無線周波数範囲でのデータ転送も特に好適である。この技術は、いかなるケーブル接続も用いずに機器間における情報のやり取りを保証する。最近この“Bluetooth”技術は、たとえばいわゆるノートブック式またはラップトップ式のパーソナルコンピュータとの関連で用いられ、ここでこれら携帯式パーソナルコンピュータは、或る範囲内で中央ユニットと常にワイヤレスで接続され、こうしていつでもワイヤレスのデータ通信が可能である。さらに携帯電話の領域でも、上述の“Bluetooth”技術の使用が提案されている。公知のように“Bluetooth”技術は２．４ギガヘルツ範囲で動作し、贅沢な通信プロトコルを利用する。その結果消費電流は比較的大きくなる。この発明に従い提案される応用において電流の節約は重要であるため、より低い周波数を利用し、かつより単純で特別に適合させたプロトコルを使用することが有利であろう。センサユニット３および／または３′と、携帯電話機５との間のデータ通信がどのように行なわれるかに応じて、或る追加的なユニット７が携帯電話機に配置または搭載されることになり、この追加的なユニットは、センサユニットとのワイヤレス通信のための手段および制御用電子機器を含む。
【００６５】
最近は携帯電話機にも一体化されている上述の“Bluetooth”技術の場合には、上述の追加的なユニット７を配置する必要性はなくなる。
【００６６】
上述の測定データが予め定められた規定範囲から逸れると、携帯電話機５から受信機たとえば電気通信機器１９へ自動的にダイヤルされ、この通信機器はデータ捕捉および分析ユニットと接続される。このデータ捕捉および分析ユニットにおいて、表示装置１１および／または１２でセンサユニット３あるいは３′の測定したデータが表示され、こうして受信ユニット１９のそばで勤務中の人が患者の健康状態についてすぐに状態評価を行なうことができる。患者あるいは携帯電話機５がどこにいるかについての、衛星６経由でＧＰＳシステムを用いて転送された位置座標を用いて、勤務中の人はたとえばスクリーン１１で患者の現在地をすぐに判断できる。こうして、患者の健康上の問題が生じると、事実上遅延なしに、勤務中の医療専門家が患者の手当てに必要な措置をすぐに指示できる。加えて、たとえば電話機１４を用いて患者と音声で連絡を取ることも可能であるが、それは携帯電話ユニット５の使用により同時的な音声およびデータ通信が可能であるからである。患者に話しかけることが可能であれば、たとえば医療専門家は患者に自分の調子について、すなわち状態の印象について尋ねることができる。
【００６７】
医療専門家はさらに、携帯電話機５などの携帯電気通信手段の中に、またはこれに取付けて配置された記憶媒体から、センサで測定されたデータとともに、たとえば患者の病歴などのデータを自動的に伝達してもらったり、またはこれを自分で問合せできることもある。公知のように、各々の携帯電気通信手段は、識別チップたとえばいわゆるＳＩＭ（Subscriber Identity Module）カードによって１人の人間または１つの人間集団に関連づけられている。このモジュールにおいて、監視されるべき人の病歴、または追加的な、医療専門家にとって重要なデータ、たとえば患者の名前および住所、掛り付けの医師、連絡先の親族、医薬品投与についての記載、既に行なわれている医療措置などが保存され得る。これら情報は追加的に、講じるべき必要な措置に決定的な影響を及ぼし得る。
【００６８】
救助センターから、たとえば患者の掛り付けの医師が着用する別の携帯電話機１３に知らせが行くこともある。携帯電話機１３のディスプレイ１５においても、センサユニット３あるいは３′が測定し、救助センターからさらにこの携帯電話機へと送られ得る測定データまたはこれを短く要約したものが読取可能である。携帯電話機１３を着用している掛り付けの医師もまた、患者と音声によって連絡を取ることができる。当然のことながら、データ転送を患者から掛り付けの医師の携帯電話機１３へ直接行なうこともでき、掛り付けの医師もまた場合により患者の現在地を検出でき、ここで、衛星６′経由でＧＰＳを用いて座標がこの医師に伝達される。しかしながら通常は、救助センターに対する連絡あるいはデータ転送は必須であり、掛り付けの医師への知らせは状況に応じて行なわれる。
【００６９】
この発明に従い提案される監視システムあるいは構成ではさらに、たとえば家庭医が時々データ通信チェーン経由でセンサユニット３あるいは３′にあるデータを呼出して、患者の健康状態に関する全体像を把握することもまた可能である。
【００７０】
さらに、この発明に従い提案される監視ユニットは、自分でのチェックすなわち自己チェックにおいて、スポーツ医学的データを捕捉あるいはこれをいつでも呼出せるようにするのに好適である。たとえば胸ベルトで着用される測定手段が公知であり、この測定手段は、心拍数、血圧およびその他のデータ、たとえば走行距離、スポーツ活動の持続時間などを捕捉および表示するために設けられる。
【００７１】
当然のことながら、図１および図２に示す両方の概略図はこの発明を詳細に説明するための例にすぎない。図で選択された要素および記載された転送技術は、今日一般に用いられる技術およびやり方に従うものである。特にＧＰＳシステムが一体化された携帯電話機はつい最近になって市場に現われたものであり、たとえばフィンランドの企業ベネフォン（Benefon）ＯＹなど少数の製造業者が提供するにすぎない。しかしながら、このような機器はまもなく他の製造業者によっても製造されることが想定され得る。“Bluetooth”技術に関しても、この技術は少数の機器およびシステムで用いられているにすぎないことを補足的に触れておく。しかしこの技術あるいは類似の技術もまた、特にデータ処理およびデータ通信の分野に将来決定的な影響を及ぼすであろうし、これら技術は当然のことながらこの発明との関連で対応して使用され得る。測定センサおよび論理制御部に関してもさまざまな実施例が考えられ得る。たとえば測定センサは指輪の中に、分析用電子機器あるいは論理制御部は腕時計の中に配置可能であり、ここでデータ転送は赤外線インターフェイスまたは無線波によって行われ得る。または測定センサおよび分析用電子機器ならびに論理制御部は、すべて一緒に腕時計または一般的に腕輪の中に配置可能である。最後に、センサならびに分析用電子機器および論理制御部は、その他任意の好適な身体の部分において、好適な担体を使用して配置可能である。
【００７２】
図３ａから図３ｈにおいて、監視構成について可能な応用例との関連で、可能な構成形態を概略的に示す。
【００７３】
図３ａは、患者の医学的監視のための監視構成の或る可能な設計を、３つのユニット３（３′）、５および９，１９によって示す。センサユニット３あるいは３′は以下の構成要素を含む。すなわちセンサと、信号処理機構と、捕捉した測定データがプログラムしたしきい値を上回る／下回ることを検出するための論理分析ユニットと、無線周波数範囲でのデータ通信用通信機構とである。
【００７４】
移動データ通信ユニット５は、無線周波数範囲でデータをやり取りするための機構と、外部の第三者へダイヤルするためのダイヤル論理回路と、通信部とを含む。
【００７５】
最後に、図３ａに従う図は監視ユニット９あるいは１９を含み、この監視ユニットもやはり、通信部と、センサユニットが測定し場合により活用したデータを表示するためのディスプレイとを含む。
【００７６】
図３ｂに示すさらなる変形実施例に従うと、当然のことながら、センサユニット３（３′）および移動データ通信ユニット５を組合わせてただ１つの構成要素にすることが可能である。
【００７７】
図３ｃは監視構成のさらなる変形例を示し、ここで論理制御部はセンサユニット３（３′）内ではなく移動データ通信ユニット５の中に設けられる。
【００７８】
図３ｄは別の応用例を示し、ここでは監視構成が乳幼児の観察あるいは監視に用いられている。センサユニット３（３′）は図３ａにおけるものと同様に構成される。これに対し監視ユニット５では、センサユニット３（３′）で捕捉されたデータを表示するための表示装置すなわちディスプレイが既に設けられる。データがしきい値を上回る／下回ると、警報が既に監視ユニットにおいてもたらされ得る。最後に、データをさらに外部の監視ユニット９，１９、すなわち外部警報が発せられ得る警報ユニットに転送するための通信部を監視ユニット５に設けることも可能である。
【００７９】
図３ｅは乳幼児監視のさらなる変形例を示し、ここでは論理制御部はセンサユニット３（３′）内に設けられるのではなく、センサと組合わせられて監視ユニット５の中にある。
【００８０】
図３ｆでは、いわゆるスポーツ第三者監視のための監視構成を概略的に示す。図３ｆに従う構成では、センサユニット２３（２３′）は単に１つまたは複数のセンサおよび信号処理機構を含み、この信号処理機構からデータは無線周波数を用いてデータ転送ユニット、たとえば携帯電話機４５に転送される。この携帯電話機４５からデータは次に或る通信部を用いて監視あるいは分析ユニット５５へと転送される。
【００８１】
図３ｇは簡単なスポーツ監視ユニットを概略的に示し、ここではセンサユニット２３で測定および分析されたデータは、ＲＦ通信を用いて分析ユニット５５、たとえば腕に装着した腕時計に転送される。この分析ユニット５５には表示装置すなわちディスプレイが設けられ、ここでデータあるいはその分析は、値がプログラムされたしきい値を下回るあるいは上回る際の警報も含め、さまざまな仕方で表示され得る。これと同様に糖尿病患者もまた、自分の血糖値をこの仕方で常時チェックできる。
【００８２】
最後に図３ｈは、スポーツ監視ユニットあるいは糖尿病監視ユニットのさらなる変形例を示し、ここでは論理制御部がセンサユニット２３ではなく分析ユニット５５内に設けられる。
【００８３】
これに対応して図４は、この発明に従うセンサユニットであって、監視されるべき人の耳に配置されて脈拍酸素測定法により医療データを捕捉することを意図したセンサユニットを概略的に示す。
【００８４】
測定センサユニット２３はその本体をなす測定センサ２５を含み、これは光源２９および光検出器２７からなり、これらは各々耳たぶの一方の側に配置され、たとえば蔓のような結合部３１で互いに結合される。両方の要素２７および２９を耳たぶに固定するためには、耳たぶを通って延びるピン様の結合部３３を追加的に設けて、測定センサを耳たぶに対して動かないように、かつ位置に忠実に配置することが好ましいであろう。当然のことながらこの位置の忠実さは、クリップや挟子の使用、要素２７，２９の耳への接着などによっても達成され得る。
【００８５】
さらに、少なくとも部分的に耳介のまわりに延びる耳用蔓３４には送信機／受信機３６および電池３５が設けられる。送信／受信機構３６にはさらにデータ処理ユニットが設けられることがあり、ここでは測定センサ２７で検出されたデータが処理あるいは分析され得る。最後に、測定すべき要因たとえば呼吸数、酸素飽和度、心拍数などについての所定の値あるいは値範囲をこのデータ処理ユニットに入力することも可能であり、指定された範囲を上回るまたは下回ると、対応する警報信号が発生される。送信／受信機構は無線周波数で動作するユニットであり、すなわちデータ転送は無線周波数範囲で行なわれる。
【００８６】
図５は、図４に従う構成のより具体的な変形実施例の斜視図であり、これは監視されるべき人の耳に配置されることを意図している。構成２３もやはり測定センサユニット２５を含み、これは光源２９（図示せず）および測定センサ２７を含む。さらに、両方の要素２７および２９を固定および結合するための位置づけ装置３１、たとえばクリップ蔓３１が設けられる。耳用蔓３４にはやはり電池ユニット３５ならびにＲＦ送信／受信機構およびデータ処理ユニット３６が配置される。測定センサの機能態様は照射した耳たぶの組織における光吸収に基づき、ここで光透過率はヘモグロビンの濃度と反比例する。各々の心周期の間、光吸収は周期的に変化する。耳たぶは、すばやい吸収時間と測定の信頼性から脈拍酸素測定法の測定に最もよく適している。動脈中の酸素飽和度の測定は、光源と光検出器２７との間における血液の色の判定によって行なわれる。
【００８７】
図５ａは図５の断面図であり、ここでは測定センサ２７の図示についてはその大部分を省略する。センサを外すことで図４では見えなかった光源２９を認めることができる。
【００８８】
図６においては、測定構成２３で捕捉あるいは分析されたデータがどのように受信側に転送され得るか、あるいは受信側でどう分析され得るかについてのさらなる応用例を概略的に示す。
【００８９】
図６で取扱うのは健康状態の監視、すなわち自転車走行者３０の医療データの捕捉であり、たとえば自転車走行者の能力の検出、トレーニング方法の最適化、自転車走行者３０にとって最適な走法の確立、一般的に活動中のヒトの医療データの検出などを行なう。
【００９０】
この発明に従い提案される測定構成２３はやはり、走行中の自転車走行者３０の耳にある。ここでも、測定センサで測定あるいは検出された値はワイヤレス送信手段４５に転送され、測定センサからデータ転送ユニット４５へのこのデータ転送もまたワイヤレスで無線周波数範囲において、たとえばいわゆる“Bluetooth”技術を用いて行なわれる。データ送信手段４５からデータはたとえば伴走車５１の受信アンテナ５３へとワイヤレスで伝達され、ここで担当の人５５がデータを常に監視する。この担当の人は医療専門家やトレーナであり得るが、または単に自転車走行者３０の知人であってもよい。当然のことながら、伴走車５１内に或る人が存在することは必要不可欠ではなく、ワイヤレス転送されたデータを記録あるいは保存して、後で分析できるようにしてもよい。
【００９１】
自転車走行者が伴走車の視界にいる限り、当然のことながら自転車走行者の位置は医療専門家あるいはトレーナにわかっている。しかし競技会の際には、伴走車と自転車走行者とがかなり遠く離れて位置する状況が生じ、このため重要データを自転車走行者について測定する場合には、その位置がいつでも伴走車内の専門家にわかっていることが重要である。この理由から、医療データの転送に加え位置データも伴走車に転送されることが有利であり、ここではたとえば図１および図２を参照して既に説明したいわゆるＧＰＳ手段が用いられる。
【００９２】
当然のことながら、受信者が伴走車内にはおらず、たとえば静止してトレーニングセンターにいることもまた可能であり、このトレーニングセンターの中で、測定構成２３が自転車走行者について捕捉したデータを監視することができる。ＧＰＳ手段を用いた座標の伝達を追加すると自転車走行者の現在地はいつでもわかるので、自転車走行者に対する介入が必要な場合に専門家あるいはトレーナは必要な措置を講ずることができる。位置データが知られているため、たとえば近くにいるトレーナ助手または伴走者を動員でき、すなわちあらゆる場合でも講ずるべき措置を指示することができる。
【００９３】
最後に図７は、運動選手またはたとえば糖尿病患者の自己チェックのための、この発明に従う構成の適用例を概略的に示す。運動選手にとって重要な値である心循環状態あるいは脈拍、血圧などが、耳センサ２３を用いて連続的に測定可能である。これら値はセンサ２３から分析あるいは表示構成５５へとワイヤレスで転送され、ここで運動選手は常時または定期的にこれら値を読取ることができる。これと同様に、糖尿病患者もまた表示装置５５で定期的に血糖量を読取ることができ、または、糖尿病患者の耳にあるセンサ２３で過血糖または低血糖が測定されると、このような状態を表示装置５５で表示することが可能である。当然のことながらこれに加え、センサ２３で測定されたデータを外部の場所へさらに送るためのデータ転送ユニット４５を表示装置５５に設けることも可能である。糖尿病患者にとってこの自己監視には、自己投薬たとえばインスリンの自己投与などを行なうべきときに、このことを糖尿病患者が適時に知らされるという大きな利点がある。最後に、センサ２３から表示装置５５へのデータ転送もまたワイヤレスで行なわれる。
【００９４】
当然のことながら、図１，２，３，６，７で示したさまざまな状況は、この発明を詳細に説明するのに好適な例にすぎない。この発明に従い提案される構成は、人の健康状態を監視する必要がある、あるいは人の医療データを捕捉する必要がある、その他任意の数の状況で使用可能である。上述のように測定センサを耳に配置することが有利である。したがって耳の測定センサは日常生活で用いられる物品、たとえば補聴器または耳飾りなどと一体化され得る。
【００９５】
この意味でこの発明は、図１から図７までとの関連で記載した状況、測定センサ、通信手段、技術、および個々のモジュールの実施例には限定されず、特に技術に関して、現在開発中であり市場でまだ入手可能でないものも含む。特にこの発明は記載した応用例に限定されない。したがってさらなる考えられ得る用途として、この発明に従い提案される構成は赤ちゃんの監視にも適しており、この関連で、残念ながら頻繁に起こっているいわゆる「乳幼児突然死」を言及しておく。
【文献】
【００９６】
2005501576.tif 000003
【図面の簡単な説明】
【００９７】
【図１】この発明の原理および機能態様を示す概略図である。
【図２】この発明の個々の要素および機能原理をさらに示す概略図である。
【図３ａ】この発明に従う構成の可能な変形形態を示す概略図である。
【図３ｂ】この発明に従う構成の可能な変形形態を示す概略図である。
【図３ｃ】この発明に従う構成の可能な変形形態を示す概略図である。
【図３ｄ】この発明に従う構成の可能な変形形態を示す概略図である。
【図３ｅ】この発明に従う構成の可能な変形形態を示す概略図である。
【図３ｆ】この発明に従う構成の可能な変形形態を示す概略図である。
【図３ｇ】この発明に従う構成の可能な変形形態を示す概略図である。
【図３ｈ】この発明に従う構成の可能な変形形態を示す概略図である。
【図４】耳での脈拍酸素測定法による測定のための、この発明に従う構成を示す概略図である。
【図５】耳におけるこの発明に従う構成の可能な形態を示す斜視図である。
【図５ａ】図５の断面を示す図である。
【図６】この発明に従い規定される構成を用いた、運動選手の健康状態の監視を示す概略図である。
【図７】人による自己監視あるいは自己チェックを示す概略図である。
【図３ａ】
2005501576.tif 000004
【図３ｂ】
2005501576.tif 000005
【図３ｃ】
2005501576.tif 000006
【図３ｄ】
2005501576.tif 000007
【図３ｅ】
2005501576.tif 000008
【図３ｆ】
2005501576.tif 000009
【図３ｇ】
2005501576.tif 000010
【図３ｈ】
2005501576.tif 000011
【国際公開パンフレット】
2005501576.tif 000012
2005501576.tif 000013
2005501576.tif 000014
2005501576.tif 000015
2005501576.tif 000016
2005501576.tif 000017
2005501576.tif 000018
2005501576.tif 000019
2005501576.tif 000020
2005501576.tif 000021
2005501576.tif 000022
2005501576.tif 000023
2005501576.tif 000024
2005501576.tif 000025
2005501576.tif 000026
2005501576.tif 000027
2005501576.tif 000028
2005501576.tif 000029
2005501576.tif 000030
2005501576.tif 000031
2005501576.tif 000032
2005501576.tif 000033
2005501576.tif 000034
2005501576.tif 000035
2005501576.tif 000036
2005501576.tif 000037
2005501576.tif 000038
2005501576.tif 000039
2005501576.tif 000040
2005501576.tif 000041
2005501576.tif 000042
2005501576.tif 000043
2005501576.tif 000044
2005501576.tif 000045
2005501576.tif 000046
2005501576.tif 000047
2005501576.tif 000048
2005501576.tif 000049
2005501576.tif 000050
2005501576.tif 000051
2005501576.tif 000052
2005501576.tif 000053
2005501576.tif 000054
2005501576.tif 000055
2005501576.tif 000056
2005501576.tif 000057
2005501576.tif 000058
2005501576.tif 000059
2005501576.tif 000060
2005501576.tif 000061
2005501576.tif 000062
【国際調査報告】
2005501576.tif 000063
2005501576.tif 000064
2005501576.tif 000065
2005501576.tif 000066
2005501576.tif 000067
2005501576.tif 000068